(57)【要約】      （修正有）【課題】ニガウリなどの蔓状作物を、台風などの強風から防護できる作物用棚構造を提供する。【解決手段】剛性を有する傾斜用筒体１と、該筒体の一端とクランプ部材２によってスライド可能に接続し、地面に固定する固定用杭材３と、前記筒体の他端にクランプ部材によってスライド可能に接続し、前記筒体と直交して配設される水平接続用筒体４と、前記傾斜用筒体の所定中間位置にクランプ部材によってスライド可能に接続し、前記傾斜用筒体を支持する傾斜角調整兼用支持部材５とから構成され、前記固定用杭材側の傾斜用筒体に前記梃子部材を挿通し、該傾斜用筒体が梃子の原理によって回動され、所望の傾斜角度で固定する。【選択図】図１
0003150800.tif 000002
【実用新案登録請求の範囲】
【請求項１】
作物を傾斜して保持する棚構造であって、剛性を有する傾斜用筒体と、該筒体の一端とクランプ部材によってスライド可能に接続し、地面に固定する固定用杭材と、前記筒体の他端にクランプ部材によってスライド可能に接続し、前記筒体と直交して配設される水平接続用筒体と、前記傾斜用筒体の所定中間位置にクランプ部材によってスライド可能に接続し、前記傾斜用筒体を支持する傾斜角調整兼用支持部材とから構成され、前記固定用杭材側の傾斜用筒体に前記梃子部材を挿通し、該傾斜用筒体が梃子の原理によって回動され、所望の傾斜角度で固定されることを特徴とする作物用棚構造。
【請求項２】
前記傾斜用筒体と、固定用杭材と、水平接続用筒体と、傾斜角調整兼用支持部材とを、複数連結して構成したことを特徴とする作物用棚構造。
【考案の詳細な説明】
【技術分野】
【０００１】
本考案は、ニガウリなどの蔓作物の栽培に好適に使用できる作物用棚構造に関するものである。
【背景技術】
【０００２】
従来より、蔓作物を栽培する際には、畑に柵を立設して使用する棚が広く利用されている。この棚は、台風などの強風被災による弱点があり、作物が落下したり、収穫障害などの問題点があった。
【０００３】
ビニルハウスの中で栽培すれば、強風による被害を避けることは可能であるが、作物の単価を考慮すると経済的に不利となるという欠点があった。
【０００４】
そこで、蔓植物を這わす棚を通常は三角屋根合掌状に傾斜させた状態で支持し、台風などの強風が接近すると、棚を地面近接に伏せる蔓性植物の栽培施設が提案されている（特許文献１参照。）。
【０００５】
また、蔓性植物を這わす起立棚を複数用い、間隔をおいて対向配置すると共に、通常は起立棚の上部を水平方向のロープ材で連結し、かつ両端の起立棚の上部を傾斜ロープ材で地面に引っ張って、起立状態に支持し、台風などが到来する際には、片方の制御用の傾斜ロープ材を緩めて、各起立棚を一方向に倒せるように構成された蔓性植物用の起伏式棚もある（特許文献２参照。）。
【先行技術文献】
【特許文献】
【０００６】
【特許文献１】登録実用新案第３０５６７３８号公報
【特許文献２】特開２００５−２７８５７９号公報
【考案の開示】
【考案が解決しようとする課題】
【０００７】
しかし、上記の特許文献１に記載されている技術は、多数の蔓植物が這ったまま、棚を支持するつっかえ棒をいちいち外して、棚の傾斜を変える必要があり、非常に重量があるため作業者に多大の負担となるものであった。
【０００８】
また、上記特許文献２に記載の技術は、専用の起立棚を数多く用意し、且つ各種のロープ材やネットなど多大の経費負担を必要とするものであった。
【０００９】
本考案は、上記問題点に鑑みなされたものであり、非常に簡単な構造で、蔓性の作物の最適な日射角度を設定することができ、且つ台風などの強風の際には作業者の負担を軽減することが可能な作物用棚構造を提供することを目的とする。
【課題を解決するための手段】
【００１０】
このため本考案の作物用棚構造は、剛性を有する傾斜用筒体と、該筒体の一端とクランプ部材によってスライド可能に接続し、地面に固定する固定用杭材と、前記筒体の他端にクランプ部材によってスライド可能に接続し、前記筒体と直交して配設される水平接続用筒体と、前記傾斜用筒体の所定中間位置にクランプ部材によってスライド可能に接続し、前記傾斜用筒体を支持する傾斜角調整兼用支持部材とから構成され、前記固定用杭材側の傾斜用筒体に前記梃子部材を挿通し、該傾斜用筒体が梃子の原理によって回動され、所望の傾斜角度で固定されることを第１の特徴とする。
【００１１】
また、前記傾斜用筒体と、固定用杭材と、水平接続用筒体と、傾斜角調整兼用支持部材とを、複数連結して構成したことを第２の特徴とする。
【００１２】
上記の傾斜用筒体と水平接続用筒体には、ネット材などの棚部材がさらに取り付けられ、蔓性作物の栽培に好適に使用される。
【考案の効果】
【００１３】
本考案の作物用棚構造は、以上のように構成されているので次のような優れた効果を有する。
（１）傾斜用筒体と、水平接続用筒体と、傾斜角調整兼用支持部材とが、それぞれクランプ部材によってスライド可能に接続されており、傾斜用筒体の傾斜角度変更の際に作業が容易であり、且つ安価な部品を利用可能であるため、棚構造体の製造コストを軽減できるという効果がある。
（２）梃子部材を使用して傾斜用筒体を回動させて傾斜を変更できるため、台風などの強風の際に作業者に多大の負担を掛けることなく棚の傾斜を変更することができるという効果がある。
（３）傾斜用筒体を所望の傾斜角度に設定可能であり、太陽光を作物の栽培に最大限に利することができるという効果がある。
（４）しかも、台風などの強風被災による作物収穫障害を極力回避できるという効果がある。
【図面の簡単な説明】
【００１４】
【図１】本考案に係る作物用棚構造の一実施例を示す側面図である。
【図２】梃子部材を示す斜視図である。
【考案を実施するための形態】
【００１５】
以下、本考案の実施の形態を、図面に示す実施例に基づいて説明するが、本考案が本実施例に限定されないことは言うまでもない。図１は、本考案に係る作物用棚構造の一実施例を示す側面図、図２は梃子部材を示す斜視図、である。
【実施例】
【００１６】
図１に示すように、本考案の作物用棚構造は、鋼製の筒体からなる傾斜用筒体１と、この傾斜用筒体１の一端側に兼用自在クランプ２を介して取り付けられた固定用杭材３と、傾斜用筒体１の他端側に兼用自在クランプ２を介し筒体１と直交して取り付けられた水平接続用筒体４と、傾斜用筒体１の長手方向中間位置に兼用自在クランプ２を介し傾斜用筒体１と直交して支持する傾斜角調整兼用支持部材５とから構成され、図１の紙面に垂直方向に所定の間隔で複数連結して配置される。そして蔓性作物を栽培する畑地に固定用杭材３および傾斜角調整兼用支持部材５が立設され、所定の傾斜で形成されている。
【００１７】
兼用自在クランプ２は２本の筒体若しくは杭材などをそれぞれ挿通してスライド自在に保持できる市販のものが使用され、上述した固定用杭材３、水平接続用筒体４、傾斜角調整兼用支持部材５を、傾斜用筒体１と接続する。
【００１８】
また、上記の傾斜用筒体１や水平接続用筒体４はいずれも安価な建築足場用の金属パイプが好適に使用され、とくに水平接続用筒体４は、ジョイント部材(図示せず）によって連結可能とされている。
【００１９】
固定用杭材３及び傾斜角調整兼用支持部材５はそれぞれ先端が尖った金属棒が使用され、栽培する作物の蔓の長さなどによって適宜の長さが選択される。
【００２０】
図２は、本考案の作物用棚構造の傾斜角度を調節する梃子部材６を示しており、略Ｌ字形状の金属パイプからなり、その先端部は前記傾斜用筒体１の端部に挿入可能な外径とされており、後述する台風などの強風時の作業において使用される。
【００２１】
上記の構成からなる本考案の作物用棚構造は、ニガウリなどの蔓性作物を傾斜した棚構造によって、日光を効率よく当てることが可能であり、畑地からは適度の空間を有するため風通しがよく作物の生長を促進することができる。しかも上述した梃子部材を使用することによって、少ない労力で傾斜用筒体の角度を変更させることができるため、台風などの強風が予測される際には、全ての作物用棚を短時間で倒すことができる。また、台風通過後は、梃子部材を使用し、少ない労力で最適な角度に復元することができる。
【００２２】
以上、本考案による作物用棚構造によれば、非常に簡単な構造で、蔓性の作物の最適な日射角度を設定することができ、且つ台風などの強風の際には作業者の負担を軽減することが可能な作物用棚構造を提供するすることができる。しかも、使用される材料は、市販の安価なものが利用可能であり、製造コストを軽減することが可能である。
【産業上の利用可能性】
【００２３】
本考案の作物用棚構造は、蔓性作物の栽培に好適に使用できるものであるが、これに限定されず、例えば千切り大根の乾燥用棚としての利用も可能であり、さらに海苔や海藻の天日乾燥などにも使用可能である。
【符号の説明】
【００２４】
１          傾斜用筒体
２          兼用自在クランプ
３          固定用杭材
４          水平接続用筒体
５          傾斜角調整兼用支持部材
６          梃子部材
【図１】
0003150800.tif 000003
【図２】
0003150800.tif 000004
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
作物を傾斜して保持する棚構造であって、剛性を有する傾斜用筒体と、該筒体の一端とクランプ部材によってスライド可能に接続し、地面に固定する固定用杭材と、前記筒体の他端にクランプ部材によってスライド可能に接続し、前記筒体と直交して配設される水平接続用筒体と、前記傾斜用筒体の所定中間位置にクランプ部材によってスライド可能に接続し、前記傾斜用筒体を支持する傾斜角調整兼用支持部材とから構成され、前記固定用杭材側の傾斜用筒体に梃子部材を挿通し、該傾斜用筒体が梃子の原理によって回動され、所望の傾斜角度で固定されることを特徴とする作物用棚構造。
【請求項２】
前記傾斜用筒体と、固定用杭材と、水平接続用筒体と、傾斜角調整兼用支持部材とを、複数連結して構成したことを特徴とする請求項１記載の作物用棚構造。
【手続補正２】
【補正対象書類名】明細書
【補正対象項目名】００１０
【補正方法】変更
【補正の内容】
【００１０】
このため本考案の作物用棚構造は、剛性を有する傾斜用筒体と、該筒体の一端とクランプ部材によってスライド可能に接続し、地面に固定する固定用杭材と、前記筒体の他端にクランプ部材によってスライド可能に接続し、前記筒体と直交して配設される水平接続用筒体と、前記傾斜用筒体の所定中間位置にクランプ部材によってスライド可能に接続し、前記傾斜用筒体を支持する傾斜角調整兼用支持部材とから構成され、前記固定用杭材側の傾斜用筒体に梃子部材を挿通し、該傾斜用筒体が梃子の原理によって回動され、所望の傾斜角度で固定されることを第１の特徴とする。